(57)【要約】【課題】筆記具梱包体は、その外周面をフィルムで包装することによりユーザーの手に渡る前のドライアップ等を防止することが可能であるが、フィルムから紙製収納箱を取り出し、紙製収納箱を陳列等した後はこのような効果はなくなってしまう。リフィールを直接包装しただけのものも存在するが、これらは吊り下げ穴を用いてフックでの吊り下げ式陳列をすることを目的としており、店頭以外の収納時においては、紙製収納箱に比べると棚等への収納性・閲覧性は低い。また、チャック等を備えているためコストも高価となる。【解決手段】複数本の筆記具用リフィールをガスバリア性の高い包装体内に内包した１個乃至複数個の筆記具リフィール包装体を、収納箱内に内包する。【選択図】図４
2016050026.tif 000002
【特許請求の範囲】
【請求項１】
複数本の筆記具用リフィールをガスバリア性の高い包装体内に内包した１個乃至複数個の筆記具リフィール包装体を、収納箱内に内包することを特徴とする筆記具用リフィール包装体。
【請求項２】
筆記具用リフィールの外径が３．６ｍｍ以下であることを特徴とする請求項１に記載の筆記具用リフィール包装体。
【請求項３】
筆記具用リフィールに水系インクが充填されていることを特徴とする請求項１または請求項２に記載の筆記具用リフィール包装体。
【請求項４】
筆記具用リフィールに消去性インクが充填されていることを特徴とする請求項１乃至請求項３に記載の筆記具用リフィール包装体。
【請求項５】
筆記具用リフィール内のインク中の固形分量が２０％以上であることを特徴とする請求項１乃至請求項４に記載の筆記具用リフィール包装体。
【発明の詳細な説明】
【技術分野】
【０００１】
本発明は、筆記具用リフィールとリフィールを包装する包装体からなるリフィール包装体に関する。
【背景技術】
【０００２】
一般的に、筆記具用リフィールを流通、保管するために、小型の紙製包装箱に１０本乃至１２本を入れて包装している。前記包装箱中にリフィールをそのまま入れる場合や、1本ずつフィルムや筒状ケースに包装されたものを紙箱に入れる場合もある。
【０００３】
特に、複式筆記具等においては、軸筒内に複数のリフィールを配置する必要があるため、軸筒の外径を抑えるためにリフィール外径が小さいものが要求されるが、上記のようにリフィールそのまま保管した場合や、通常のフィルムで包装をして保管をした場合は、リフィールのチューブ表面からのインク中の水分の透過により、リフィールの経時劣化が問題となる。密閉可能な筒状のケース等に入れることで前述の問題は解決するが、コストが高くなるといった問題や、リフィール使用後の廃棄物が多くなるという問題があった。
【先行技術文献】
【特許文献】
【０００４】
【特許文献１】特開平１０−７１７７
【特許文献２】実用新案登録第３１７３８２７号
【発明の概要】
【発明が解決しようとする課題】
【０００５】
特許文献１にて開示された筆記具梱包体は、紙製の収納箱の複数個を直方体状に集積し、その外周面をフィルムで包装することにより高温環境下での長期保管やユーザーの手に渡る前のドライアップを防止しているが、フィルムから紙製収納箱を取り出し、紙製収納箱を陳列等した後はこのような効果はなくなってしまう。また、特許文献２にて開示された筆記具セットは複数の筆記具を収容しているが、吊り下げ穴を用いてフックでの吊り下げ式陳列をすることを目的としており、店頭以外の収納時においては、紙製収納箱に比べると棚等への収納性・閲覧性は低い。また、チャック等を備えているためコストも高価となる。
【０００６】
本発明は、このように従来の構成が有していた問題を解決するものであり、輸送・保管中のリフィールの経時劣化に強く、店頭の収納棚等への収納性に優れ、かつコストの安価なリフィール収納体を実現することを目的とするものである。
【課題を解決するための手段】
【０００７】
本発明は、複数本の筆記具用リフィールをガスバリア性の高い包装体内に内包した１個乃至複数個の筆記具リフィール包装体を、収納箱内に内包することを特徴とする筆記具用リフィール包装体である。
【０００８】
また、第２の課題解決手段として、筆記具用リフィールの外径が３．６ｍｍ以下とする構成としたものである。
【０００９】
そして、第３の課題解決手段として、筆記具用リフィールに水系インクが充填されていることとする構成としたものである。
【００１０】
さらに、第４の課題解決手段として、筆記具用リフィールに消去性インクが充填されている構成としたものである。
【００１１】
そして、第５の課題解決手段として、筆記具用リフィール内のインク中の固形分量が２０％以上とする構成としたものである。
【発明の効果】
【００１２】
上述したように、本発明のリフィール包装体は、輸送・保管中のリフィールの経時劣化に強く、とりわけ複式筆記具で用いられるような細径のリフィールで効果を奏するものである。また、店頭の収納棚等への収納性に優れ、かつコストの安価なリフィール収納体を実現するという効果を発揮するものである。
【図面の簡単な説明】
【００１３】
【図１】本発明のリフィール梱包体の第１の実施例を表す上面図である。
【図２】本発明のリフィール梱包体の第１の実施例を表す斜視図である。
【図３】本発明のリフィール梱包体第２の実施例を表す斜視図である。
【図４】本発明のリフィール梱包体を収納箱に収納した実施例を表す斜視図である。
【発明を実施するための形態】
【００１４】
以下、本発明の実施の形態を図１乃至図３に基づいて説明する。
図１に示すのは本発明のリフィール梱包体の第１の実施例である。リフィール梱包体１は複数本のリフィールがフィルム１ｂによって包装された構成である。
【００１５】
具体的にリフィール梱包体１は、フィルム１ｂにより包装されるリフィール１ａの本数を包装箱２の一箱に包装すべき数量を全て包装しても良いし、分割していくつかのリフィール梱包体１を包装箱２の一箱に入れる本数としても良い。図２は５本のリフィール１ａをリフィール梱包体１とした第２の実施例を示している。図４は１つの包装箱２に対し、２つのリフィール梱包体１が収納された状態を示している。
【００１６】
リフィール梱包体の梱包方式については、図２の様にフィルムでいわゆるキャラメル包装をして粘着又は溶着しても良いし、図３の様に二枚のフィルムの間にリフィールを入れた状態で粘着又は溶着しても良い。いずれの態様においても、粘着又は溶着の幅を６ｍｍ以上、好ましくは９ｍｍ以上とすることが望ましい。
【００１７】
リフィール１ａの構成については、特にドライアップの影響を受け易いものとして、リフィール外径３．６ｍｍ以下であるものが好ましい。また、インク中の固形分量は２０％以上、好ましくは２５％以上、更に好ましくは３０％以上の構成とされる。また。いわゆる消去性ボールペンは擦過タイプ、熱消去タイプに関わらず、消去性を発言させるためにインク内の固形分量が多くなるため、リフィールの保管時にドライアップしやすい傾向にあることからより効果を発揮する。さらに、インクは水系のものがドライアップに弱いため、特に効果を発揮する。
【００１８】
フィルム１ｂの材質については、具体的には、合成樹脂、セロファン、ポリエチレンや、前述の材料にアルミを蒸着等したものが好ましい。
【００１９】
収納箱２の材質については、紙製、もしくはポリプロピレン等を使用した樹脂製のものが考えられる。本実施例である図４においては、いわゆるキャラメル箱状の収納箱を用いているが、本体と蓋が別体になったようなもの等でも構わない。この収納箱にリフィール梱包体を収納箱２に内包させたものが、収納箱に収納されたリフィール梱包体３である。
【００２０】
表１は本実施例と比較例であるパック無しの状態とを比較したリフィール内のインク揮発減量を示すものである。尚、インクは消しゴムで消去可能であり、固形分は３０％以上である。インクの配合の詳細は以下のとおりである。
【００２１】
着色樹脂粒子：ラブコロール２２０（Ｍ）ブラック（顔料含有架橋ＰＭＭＡ粒子、平均粒子系：８．５μｍ  大日精化社製）  ２０ｗｔ％
非着色粒子：ジョンクリル７１００（スチレンアクリル粒子、平均粒子径０．１μｍ  ＢＡＳＦジャパン社製）  ２１ｗｔ％
グリセリン  ５ｗｔ％
キサンタンガム：ケルザンＲＤ（三晶社製）  0.15ｗｔ％
トリエタノールアミン  １．２ｗｔ％
ベンゾトリアゾール  ０．５ｗｔ％
水  ５２．１５ｗｔ％
【００２２】
具体的な試験条件としては、気温５０℃、湿度３０％の環境下において、実施例として、アルミ蒸着をしたフィルム内にリフィールを収納し、熱溶着によりシールしたもの（図３）を紙製収納箱に収納したもの（図示せず）と、比較例として、リフィールをそのまま紙製収納箱に収納したものについて、２週間経過後と１ヶ月経過後の揮発減量値のデータを示したものである。尚、データはｎ＝１０の平均値である。
【００２３】
【表１】
2016050026.tif 000003
【００２４】
そのまま収納箱に収納したもの(比較例)は時間の経過とともにリフィールの軸表面から揮発がおこり、リフィールが減量をしているが、本実施例においては２週間経過後並びに１ヶ月経過後においてもリフィールの減量は生じていない。
【００２５】
以上の実験結果より、リフィール梱包体を収納箱２に内包させたリフィール梱包体３は、輸送・保管中のリフィールの経時劣化に強く、同時に、店頭の収納棚等への収納性に優れ、かつコストの安価なリフィール収納体を実現することを可能とするものである。
【符号の説明】
【００２６】
１    リフィール梱包体
１ａ  リフィール
１ｂ  フィルム
２    収納箱
３    収納箱に収納されたリフィール梱包体
【図１】
2016050026.tif 000004
【図２】
2016050026.tif 000005
【図３】
2016050026.tif 000006
【図４】
2016050026.tif 000007